【手続補正書】
【提出日】平成16年11月5日(2004.11.5)
【手続補正１】
【補正対象書類名】明細書
【補正対象項目名】発明の名称
【補正方法】変更
【補正の内容】
【発明の名称】製品情報サービスシステム及びサーバ装置
【手続補正２】
【補正対象書類名】明細書
【補正対象項目名】特許請求の範囲
【補正方法】変更
【補正の内容】
【特許請求の範囲】
【請求項１】
ネットワークを介してデータベースの製品情報を閲覧することができる製品情報サービスシステムにおいて、３次元形状データを含む製品情報の登録要求を受理する登録受理手段と、その製品情報中の３次元形状データを汎用のデータ形式に変換する３次元データ変換手段と、汎用のデータ形式に変換された３次元形状データを含む製品情報を製品情報データベースに記憶して登録する製品情報登録手段と、ネットワークに接続されたクライアント装置からの閲覧要求に応じて製品情報データベースに記憶されている製品情報を閲覧要求元に配信する製品情報配信手段とをサーバに備えたことを特徴とする製品情報サービスシステム。
【請求項２】
請求項１記載の製品情報サービスシステムにおいて、前記登録受理手段は３次元形状データを含む製品情報の登録要求をネットワークを介して受理するように構成したことを特徴とする製品情報サービスシステム。
【請求項３】
請求項１または請求項２記載の製品情報サービスシステムにおいて、登録される３次元形状データの属性情報を製品情報中に含む構成にしたことを特徴とする製品情報サービスシステム。
【請求項４】
請求項３記載の製品情報サービスシステムにおいて、属性情報として、少なくとも、登録日、製造元、製品名、型名、仕様のうちのいずれかを含む構成にしたことを特徴とする製品情報サービスシステム。
【請求項５】
請求項１乃至請求項４記載のいずれかの製品情報サービスシステムにおいて、各製品情報の登録開始時からの経過時間を計測し、その経過時間に応じてその製品情報の登録依頼元への請求額を求める課金手段を備えたことを特徴とする製品情報サービスシステム。
【請求項６】
請求項１乃至請求項４記載のいずれかの製品情報サービスシステムにおいて、前記３次元データ変換手段は変換後のデータが正常か否かを調べ、正常でなければ必要な補正を施す手段を含むように構成したことを特徴とする製品情報サービスシステム。
【請求項７】
ネットワークを介してデータベースの製品情報を閲覧することができる製品情報サービスシステムに接続可能なサーバであって、３次元形状データを含む製品情報の登録要求を受理する登録受理手段と、その製品情報中の３次元形状データを汎用のデータ形式に変換する３次元データ変換手段と、汎用のデータ形式に変換された３次元形状データを含む製品情報を製品情報データベースに記憶して登録する製品情報登録手段と、ネットワークに接続されたクライアント装置からの閲覧要求に応じて製品情報データベースに記憶されている製品情報を閲覧要求元に配信する製品情報配信手段と、を備えたことを特徴とするサーバ装置。
【請求項８】
請求項７記載のサーバ装置において、前記登録受理手段は３次元形状データを含む製品情報の登録要求を、ネットワークを介して受理するように構成したことを特徴とするサーバ装置。
【請求項９】
請求項７または請求項８記載のサーバ装置において前記製品情報登録手段は、登録される３次元形状データの属性情報を製品情報中に含む構成にしたことを特徴とするサーバ装置。
【請求項１０】
請求項９記載のサーバ装置において、属性情報として、少なくとも、登録日、製造元、製品名、型名、仕様のうちのいずれかを含む構成にしたことを特徴とするサーバ装置。
【請求項１１】
請求項７乃至請求項１０の何れか一項に記載のサーバ装置において、各製品情報の登録開始時からの経過時間を計測し、その経過時間に応じてその製品情報の登録依頼元への請求額を求める課金手段を備えたことを特徴とするサーバ装置。
【請求項１２】
請求項７乃至請求項１０のいずれか一項に記載のサーバ装置において、前記３次元データ変換手段は変換後のデータが正常か否かを調べ、正常でなければ必要な補正を施す手段を含むように構成したことを特徴とするサーバ装置。
【手続補正３】
【補正対象書類名】明細書
【補正対象項目名】０００１
【補正方法】変更
【補正の内容】
【０００１】
【発明の属する技術分野】
本発明は、ネットワークを介してデータベースに製品情報を登録したり、登録された製品情報を閲覧したりすることができる製品情報サービスシステムに係わり、特に、製品情報中に３次元形状データを含む製品情報サービスシステム及びサーバ装置に関する。
【手続補正４】
【補正対象書類名】明細書
【補正対象項目名】０００３
【補正方法】変更
【補正の内容】
【０００３】
【発明が解決しようとする課題】
前記したように、従来技術においては、データ形式上の問題から、３次元形状データを用いた製品情報をネットワークを介したりして提供できないという問題があった。本発明の目的は、このような従来技術の問題を解決し、ＶＲＭＬやＩＧＥＳなど汎用なデータ形式の３次元形状データへの変換については、データ提供側やデータ閲覧側が一切関知しなくてよいようにして、販売促進や製品評価などを３次元形状データを用いて容易に行なうことができるようにした製品情報サービスシステム及びサーバ装置を提供することにある。
【手続補正５】
【補正対象書類名】明細書
【補正対象項目名】０００４
【補正方法】変更
【補正の内容】
【０００４】
【課題を解決するための手段】
前記の課題を解決するために、請求項１記載の発明では、ネットワークを介してデータベースの製品情報を閲覧することができる製品情報サービスシステムにおいて、３次元形状データを含む製品情報の登録要求を受理する登録受理手段と、その製品情報中の３次元形状データを汎用のデータ形式に変換する３次元データ変換手段と、汎用のデータ形式に変換された３次元形状データを含む製品情報を製品情報データベースに記憶して登録する製品情報登録手段と、ネットワークに接続されたクライアント装置からの閲覧要求に応じて製品情報データベースに記憶されている製品情報を閲覧要求元に配信する製品情報配信手段とをサーバに備えた。
また、請求項２記載の発明では、請求項１記載の製品情報サービスシステムにおいて、前記登録受理手段は３次元形状データを含む製品情報の登録要求をネットワークを介して受理するように構成した。
また、請求項３記載の発明では、請求項１または請求項２記載の発明において、登録される３次元形状データの属性情報を製品情報中に含む構成にした。
また、請求項４記載の発明では、請求項３記載の発明において、属性情報として、少なくとも、登録日、製造元、製品名、型名、仕様のうちのいずれかを含む構成にした。
また、請求項５記載の発明では、請求項１乃至請求項４記載のいずれかの発明において、各製品情報の登録開始時からの経過時間を計測し、その経過時間に応じてその製品情報の登録依頼元への請求額を求める課金手段を備えた。
また、請求項６記載の発明では、請求項１乃至請求項４記載のいずれかの製品情報サービスシステムにおいて、前記３次元データ変換手段は変換後のデータが正常か否かを調べ、正常でなければ必要な補正を施す手段を含むように構成した。
また、請求項７の発明では、ネットワークを介してデータベースの製品情報を閲覧することができる製品情報サービスシステムに接続可能なサーバであって、３次元形状データを含む製品情報の登録要求を受理する登録受理手段と、その製品情報中の３次元形状データを汎用のデータ形式に変換する３次元データ変換手段と、汎用のデータ形式に変換された３次元形状データを含む製品情報を製品情報データベースに記憶して登録する製品情報登録手段と、ネットワークに接続されたクライアント装置からの閲覧要求に応じて製品情報データベースに記憶されている製品情報を閲覧要求元に配信する製品情報配信手段と、を備えたことを特徴とする。
また、請求項８の発明では、請求項７記載のサーバ装置において、前記登録受理手段は３次元形状データを含む製品情報の登録要求を、ネットワークを介して受理するように構成したことを特徴とする。
また、請求項９の発明では、請求項７または請求項８記載のサーバ装置において前記製品情報登録手段は、登録される３次元形状データの属性情報を製品情報中に含む構成にしたことを特徴とする。
また、請求項１０の発明では、請求項９記載のサーバ装置において、属性情報として、少なくとも、登録日、製造元、製品名、型名、仕様のうちのいずれかを含む構成にしたことを特徴とする。
また、請求項１１の発明では、請求項７乃至請求項１０の何れか一項に記載のサーバ装置において、各製品情報の登録開始時からの経過時間を計測し、その経過時間に応じてその製品情報の登録依頼元への請求額を求める課金手段を備えたことを特徴とする。
また、請求項１２の発明では、請求項７乃至請求項１０のいずれか一項に記載のサーバ装置において、前記３次元データ変換手段は変換後のデータが正常か否かを調べ、正常でなければ必要な補正を施す手段を含むように構成したことを特徴とする。
【手続補正６】
【補正対象書類名】明細書
【補正対象項目名】０００５
【補正方法】変更
【補正の内容】
【０００５】
【作用】
前記のような手段にしたので、請求項１記載の発明では、サーバにおいて、３次元形状データを含む製品情報の登録要求が受理され、その製品情報中の３次元形状データが汎用のデータ形式に変換され、汎用のデータ形式に変換された３次元形状データを含む製品情報が製品情報データベースに記憶・登録され、ネットワークに接続されたクライアント装置からの閲覧要求に応じて製品情報データベースに記憶されている製品情報が閲覧要求元に配信される。
請求項２記載の発明では、請求項１記載の発明において、３次元形状データを含む製品情報の登録要求がネットワークを介して受理される。
請求項３記載の発明では、請求項１または請求項２記載の発明において、登録される３次元形状データの属性情報が製品情報中に含まれる。
請求項４記載の発明では、請求項３記載の発明において、属性情報として、少なくとも、登録日、製造元、製品名、型名、仕様のうちのいずれかが含まれる。
請求項５記載の発明では、請求項１乃至請求項４記載のいずれかの発明において、各製品情報の登録開始時からの経過時間が計測され、その経過時間に応じてその製品情報の登録依頼元への請求額が求められる。
請求項６記載の発明では、請求項１乃至請求項４記載のいずれかの発明において、変換後のデータが正常か否かが調べられ、正常でなければ必要な補正が施される。
請求項７記載の発明では、サーバにおいて、３次元形状データを含む製品情報の登録要求が受理され、その製品情報中の３次元形状データが汎用のデータ形式に変換され、汎用のデータ形式に変換された３次元形状データを含む製品情報が製品情報データベースに記憶・登録され、ネットワークに接続されたクライアント装置からの閲覧要求に応じて製品情報データベースに記憶されている製品情報が閲覧要求元に配信される。
請求項８記載の発明では、請求項７記載の発明において、３次元形状データを含む製品情報の登録要求がネットワークを介して受理される。
請求項９記載の発明では、請求項７または請求項８記載の発明において、登録される３次元形状データの属性情報が製品情報中に含まれる。
請求項１０記載の発明では、請求項９記載の発明において、属性情報として、少なくとも、登録日、製造元、製品名、型名、仕様のうちのいずれかが含まれる。
請求項１１記載の発明では、請求項７乃至請求項１０記載のいずれかの発明において、各製品情報の登録開始時からの経過時間が計測され、その経過時間に応じてその製品情報の登録依頼元への請求額が求められる。
請求項１２記載の発明では、請求項７乃至請求項１０記載のいずれかの発明において、変換後のデータが正常か否かが調べられ、正常でなければ必要な補正が施される。
【手続補正７】
【補正対象書類名】明細書
【補正対象項目名】００１０
【補正方法】変更
【補正の内容】
【００１０】
【発明の効果】
以上説明したように、本発明によれば、請求項１記載の発明では、サーバにおいて、３次元形状データを含む製品情報の登録要求が受理され、その製品情報中の３次元形状データが汎用のデータ形式に変換され、汎用のデータ形式に変換された３次元形状データを含む製品情報が製品情報データベースに記憶・登録され、ネットワークに接続されたクライアント装置からの閲覧要求に応じて製品情報データベースに記憶されている製品情報が閲覧要求元に配信されるので、汎用なデータ形式の３次元形状データへの変換については、データ提供側やデータ閲覧側が一切関知しなくてよく、したがって、販売促進や製品評価などを３次元形状データを用いて容易に行なうことができる。
また、請求項２記載の発明では、請求項１記載の発明において、３次元形状データを含む製品情報の登録要求がネットワークを介して受理されるので、離れた場所から登録を行うことができる。
また、請求項３記載の発明では、請求項１または請求項２記載の発明において、登録される３次元形状データの属性情報が製品情報中に含まれるので、属性情報を用いた検索や属性情報を用いた３次元形状データの特定が可能になる。
また、請求項４記載の発明では、請求項３記載の発明において、属性情報として、少なくとも、登録日、製造元、製品名、型名、仕様のうちのいずれかが含まれるので、登録日、製造元、製品名、型名、仕様のうちの一つまたは複数の属性を用いた検索や３次元形状データの特定が可能になる。
また、請求項５記載の発明では、請求項１乃至請求項４記載のいずれかの発明において、各製品情報の登録開始時からの経過時間が計測され、その経過時間に応じてその製品情報の登録依頼元への請求額が自動的に求められるので、効率的な課金処理が可能になる。
また、請求項６記載の発明では、請求項１乃至請求項４記載のいずれかの発明において、変換後のデータが正常か否かが調べられ、正常でなければ必要な補正が施されるので、データ形式変換に伴う問題がなくなる。
また、請求項７記載の発明では、サーバにおいて、３次元形状データを含む製品情報の登録要求が受理され、その製品情報中の３次元形状データが汎用のデータ形式に変換され、汎用のデータ形式に変換された３次元形状データを含む製品情報が製品情報データベースに記憶・登録され、ネットワークに接続されたクライアント装置からの閲覧要求に応じて製品情報データベースに記憶されている製品情報が閲覧要求元に配信されるので、汎用なデータ形式の３次元形状データへの変換については、データ提供側やデータ閲覧側が一切関知しなくてよく、したがって、販売促進や製品評価などを３次元形状データを用いて容易に行なうことができる。
また、請求項８記載の発明では、請求項７記載の発明において、３次元形状データを含む製品情報の登録要求がネットワークを介して受理されるので、離れた場所から登録を行うことができる。
また、請求項９記載の発明では、請求項７または請求項８記載の発明において、登録される３次元形状データの属性情報が製品情報中に含まれるので、属性情報を用いた検索や属性情報を用いた３次元形状データの特定が可能になる。
また、請求項１０記載の発明では、請求項９記載の発明において、属性情報として、少なくとも、登録日、製造元、製品名、型名、仕様のうちのいずれかが含まれるので、登録日、製造元、製品名、型名、仕様のうちの一つまたは複数の属性を用いた検索や３次元形状データの特定が可能になる。
また、請求項１１記載の発明では、請求項７乃至請求項１０記載のいずれかの発明において、各製品情報の登録開始時からの経過時間が計測され、その経過時間に応じてその製品情報の登録依頼元への請求額が自動的に求められるので、効率的な課金処理が可能になる。
また、請求項１２記載の発明では、請求項７乃至請求項１０記載のいずれかの発明において、変換後のデータが正常か否かが調べられ、正常でなければ必要な補正が施されるので、データ形式変換に伴う問題がなくなる。